(57)【特許請求の範囲】
【請求項１】
第１コンテンツファイルを第２コンテンツファイルにインポートする装置において、
前記第１コンテンツファイルに含まれた、コンテンツ部分それぞれの使用制限情報に基づいて、前記第１コンテンツファイルに含まれた、前記コンテンツ部分それぞれの使用規則を決定する使用規則決定部と、
前記使用制限情報に基づいて、前記コンテンツ部分それぞれの使用範囲を決定する使用範囲決定部と、
前記決定された使用範囲のそれぞれに対応する暗号化キーでコンテンツキーのそれぞれを暗号化する第１暗号化部と、
前記それぞれのコンテンツキーで前記コンテンツ部分を暗号化する第２暗号化部と、
前記決定された使用規則に従う前記第２コンテンツファイルを生成するコンテンツファイル生成部と、を備え、
前記使用規則決定部は、前記使用制限情報のそれぞれに基づき前記使用制限情報に含まれていない、前記コンテンツ部分それぞれの再生、前記コンテンツ部分それぞれの移動、及び前記コンテンツ部分それぞれのストリーミングを含む、前記使用制限情報のそれぞれに対応する前記使用規則を、前記決定された使用範囲ごとに決定し、
前記コンテンツファイル生成部は、前記使用規則、前記暗号化されたコンテンツキー及び前記暗号化されたコンテンツ部分を含む前記第２コンテンツファイルを生成する
ことを特徴とする装置。
【請求項２】
前記使用制限情報のうち少なくとも一つの使用制限情報は、前記コンテンツ部分のうち少なくとも一つのコンテンツ部分のコピー回数を制限する情報であることを特徴とする請求項１に記載の装置。
【請求項３】
前記使用制限情報のうち少なくとも一つの使用制限情報は、前記コンテンツ部分のうち少なくとも一つの無制限再配布の禁止いかんを示す情報であることを特徴とする請求項１に記載の装置。
【請求項４】
前記情報に基づいて、前記コンテンツ部分それぞれを暗号化する暗号化部をさらに含んで、
前記コンテンツファイル生成部は、前記使用規則及び前記暗号化されたコンテンツ部分を含む前記第２コンテンツファイルを生成することを特徴とする請求項１に記載の装置。
【請求項５】
前記使用範囲決定部は、前記コンテンツ部分それぞれの使用範囲をいずれか一つのデバイスに限定するデバイス範囲と決定するか、またはいずれか一つのドメインに含まれたあらゆるデバイスに限定するドメイン範囲と決定し、
前記使用規則決定部は、前記デバイス範囲と決定されたコンテンツ部分に対しては、いずれか一つのデバイスでの使用規則を決定し、前記ドメイン範囲と決定されたコンテンツ部分に対しては、いずれか一つのドメインでの使用規則を決定することを特徴とする請求項１に記載の装置。
【請求項６】
前記決定された使用規則それぞれを含む前記コンテンツ部分それぞれのライセンスを生成して発給するライセンス発給部をさらに備え、
前記コンテンツファイル生成部は、前記発給されたライセンスを含む前記第２コンテンツファイルを生成することを特徴とする請求項１に記載の装置。
【請求項７】
前記ライセンスのそれぞれが発給される時点を測定する測定部をさらに備え、
前記ライセンス発給部は、前記測定された時点をさらに含むライセンスを生成して発給することを特徴とする請求項６に記載の装置。
【請求項８】
前記決定された使用規則のそれぞれに電子署名を行う電子署名部と、
前記電子署名された使用規則を含む前記コンテンツ部分それぞれのライセンスを生成して発給するライセンス発給部をさらに備えて、
前記コンテンツファイル生成部は、前記発給されたライセンスを含む前記第２コンテンツファイルを生成することを特徴とする請求項１に記載の装置。
【請求項９】
前記第１コンテンツファイルは、所定のＤＲＭシステムの規則に従わず、前記第２コンテンツファイルは、前記所定のＤＲＭシステムの規則に従うことを特徴とする請求項１に記載の装置。
【請求項１０】
第１コンテンツファイルを第２コンテンツファイルにインポートするコンテンツインポート装置で実行される方法において、
前記コンテンツインポート装置の使用規則決定部が前記第１コンテンツファイルに含まれた第１使用制限情報に基づいて、前記第１コンテンツファイルに含まれた第１コンテンツ部分の使用規則を決定する段階と、
前記コンテンツインポート装置の使用規則決定部が前記第１コンテンツファイルに含まれた第２使用制限情報に基づいて、前記第１コンテンツファイルに含まれた第２コンテンツ部分の使用規則を決定する段階と、
前記コンテンツインポート装置の使用範囲決定部が前記第１使用制限情報に基づいて、前記第１コンテンツ部分の使用範囲を決定する段階と、
前記コンテンツインポート装置の使用範囲決定部が前記第２使用制限情報に基づいて、前記第２コンテンツ部分の使用範囲を決定する段階と、
前記コンテンツインポート装置の暗号化部が前記第１使用制限情報に基づいて、前記第１コンテンツ部分を選択的に暗号化する段階と、
前記コンテンツインポート装置の暗号化部が前記第２使用制限情報に基づいて、前記第２コンテンツ部分を選択的に暗号化する段階と、
前記コンテンツインポート装置のコンテンツファイル生成部が前記第１コンテンツ部分の使用規則及び前記第２コンテンツ部分の使用規則に従う前記第２コンテンツファイルを生成する段階と、を含み、
前記第１コンテンツ部分の使用規則を決定する段階は、前記第１使用制限情報を基づいて、前記第１使用制限情報に含まれていない、前記第１コンテンツ部分の再生、前記第１コンテンツ部分の移動、及び前記第１コンテンツ部分のストリーミングを含む、前記第１使用制限情報に対応する前記第１コンテンツ部分の使用規則を、前記第１コンテンツ部分の使用範囲別に決定し、
前記第２コンテンツ部分の使用規則を決定する段階は、前記第２使用制限情報に基づいて、前記第２使用制限情報に含まれていない、前記第２コンテンツ部分の再生、前記第２コンテンツ部分の移動、及び前記第２コンテンツ部分のストリーミングを含む、前記第２使用制限情報に対応する前記第２コンテンツ部分の使用規則を、前記第２コンテンツ部分の使用範囲別に決定し、
前記第２コンテンツファイルを生成する段階は、前記第１コンテンツ部分の使用規則、前記第２コンテンツ部分の使用規則、前記暗号化された第１コンテンツ部分及び前記暗号化された第２コンテンツ部分を含む前記第２コンテンツファイルを生成する
ことを特徴とする方法。
【請求項１１】
前記コンテンツインポート装置のライセンス発給部が前記第１コンテンツ部分の使用規則を含む前記第１コンテンツ部分のライセンスを生成して発給する段階と、
前記コンテンツインポート装置のライセンス発給部が前記第２コンテンツ部分の使用規則を含む前記第２コンテンツ部分のライセンスを生成して発給する段階とをさらに含み、
前記第１コンテンツ部分のライセンス及び前記第２コンテンツ部分のライセンスを含む前記第２コンテンツファイルを生成することを特徴とする請求項１０に記載の方法。
【発明の詳細な説明】
【技術分野】
【０００１】
本発明は、デジタルコンテンツの保護に係り、特に、ＤＲＭ（Ｄｉｇｉｔａｌ  Ｒｉｇｈｔｓ  Ｍａｎａｇｅｍｅｎｔ）システムにおけるデジタルコンテンツの保護に関する。
【背景技術】
【０００２】
アナログ時代からデジタル時代に転換されるにつれて、多くのコンテンツがデジタルで製作されつつある。アナログコンテンツは、そのコピーに多くの努力と時間がかかるが、デジタルコンテンツは、そのコピーが容易でかつ迅速に行われる。また、アナログコンテンツは、そのコピー回数に比例してその品質が低下するが、デジタルコンテンツは、そのコピー回数に関係なく同じ品質を維持する。これにより、デジタルコンテンツ保護に対する必要性が叫ばれ、デジタルコンテンツ保護に関する多様な研究がいろいろな企業によって進められている。
【０００３】
図１は、従来のデジタルコンテンツ保護環境を示す図である。
【０００４】
図１を参照すれば、従来のデジタルコンテンツ保護環境では、多様なブロードキャスト伝送チャンネルを介して伝送ストリームを受信し、これに含まれた情報を利用してコンテンツを保護しようとした。
【０００５】
特に、米国のケーブルラボ（ＣａｂｌｅＬａｂｓ）という団体は、コンテンツのコピーを制御するために、コンテンツにコピー制御情報（ＣＣＩ：Ｃｏｐｙ  Ｃｏｎｔｒｏｌ  Ｉｎｆｏｒｍａｔｉｏｎ）を添付するようにした。コピー制御情報は、コンテンツのコピー回数を制限する２ビットの情報であって、その種類には、コピーフリー（００）、コピーワンス（０１）、ノーモアコピー（１０）、及びコピーネバー（１１）がある。コピーフリーは、コンテンツの無制限コピーが許容されることを示し、コピーワンスは、コンテンツの一回コピーだけが許容されることを示す。コピーワンスであるコンテンツがコピーされれば、このコンテンツは、ノーモアコピーとなる。コピーネバーは、コンテンツのコピー禁止を示す。
【０００６】
また、米国の連邦通信委員会（ＦＣＣ：Ｆｅｄｅｒａｌ  Ｃｏｍｍｕｎｉｃａｔｉｏｎｓ  Ｃｏｍｍｉｓｓｉｏｎ）は、米国内で放送されるＨＤ（Ｈｉｇｈ  Ｄｅｆｉｎｉｔｉｏｎ）級デジタルコンテンツの無制限再配布を禁止するために、コンテンツにブロードキャストフラグを添付するようにした。ブロードキャストフラグは、コンテンツの無制限再配布の禁止いかんを示す１ビットの情報であって、その種類には、ブロードキャストフラグオン（１）及びブロードキャストフラグオフ（０）がある。ブロードキャストフラグオンは、コンテンツの無制限再配布が許容されないことを示し、ブロードキャストフラグオフは、コンテンツの無制限再配布が許容されることを示す。
【０００７】
しかし、デジタルコンテンツを保護するために提示された従来のコピー制御情報、ブロードキャストフラグなどは、その表現内容が非常に簡単であり限定的なので、ユーザーからのコンテンツの自由な使用要求に対応して、コンテンツを十分に保護することは困難であるという問題点があった。また、従来のコピー制御情報、ブロードキャストフラグなどだけでは、コンテンツが流通するときにコンテンツに対する正当な権限を有したユーザーのみを選別して、該当コンテンツを使用可能にすることが困難であり、特に、不特定多数にこのコンテンツが不法に再配布されるか使われる危険を防止するのに効果的ではないという問題点があった。
【発明の開示】
【発明が解決しようとする課題】
【０００８】
本発明が解決しようとする技術的課題は、ユーザーからのコンテンツの自由な使用要求に対応してコンテンツを保護することが可能であり、コンテンツに対する正当な権限を有するユーザーのみが該コンテンツを使用でき、不特定多数に該コンテンツが不法に再配布されたり使われる危険を防止できる装置及び方法を提供するところにある。また、前記方法をコンピュータで実行させるためのプログラムを記録したコンピュータで読み取り可能な記録媒体を提供するところにある。
【課題を解決するための手段】
【０００９】
前記技術的課題を解決するための本発明によって、第１コンテンツファイルを第２コンテンツファイルにインポートする装置は、前記第１コンテンツファイルに含まれた、コンテンツ部分それぞれの使用制限情報に基づいて、前記第１コンテンツファイルに含まれた、前記コンテンツ部分それぞれの使用規則を決定する使用規則決定部と、前記使用制限情報に基づいて、前記コンテンツ部分それぞれの使用範囲を決定する使用範囲決定部と、前記決定された使用範囲のそれぞれに対応する暗号化キーでコンテンツキーのそれぞれを暗号化する第１暗号化部と、前記それぞれのコンテンツキーで前記コンテンツ部分を暗号化する第２暗号化部と、前記決定された使用規則に従う前記第２コンテンツファイルを生成するコンテンツファイル生成部と、を備え、前記使用規則決定部は、前記使用制限情報のそれぞれに基づき前記使用制限情報に含まれていない、前記コンテンツ部分それぞれの再生、前記コンテンツ部分それぞれの移動、及び前記コンテンツ部分それぞれのストリーミングを含む、前記使用制限情報のそれぞれに対応する前記使用規則を、前記決定された使用範囲ごとに決定し、前記コンテンツファイル生成部は、前記使用規則、前記暗号化されたコンテンツキー及び前記暗号化されたコンテンツ部分を含む前記第２コンテンツファイルを生成する。
【００１０】
前記技術的課題を解決するための本発明によって、第１コンテンツファイルを第２コンテンツファイルにインポートするコンテンツインポート装置で実行される方法は、前記コンテンツインポート装置の使用規則決定部が前記第１コンテンツファイルに含まれた第１使用制限情報に基づいて、前記第１コンテンツファイルに含まれた第１コンテンツ部分の使用規則を決定する段階と、前記コンテンツインポート装置の使用規則決定部が前記第１コンテンツファイルに含まれた第２使用制限情報に基づいて、前記第１コンテンツファイルに含まれた第２コンテンツ部分の使用規則を決定する段階と、前記コンテンツインポート装置の使用範囲決定部が前記第１使用制限情報に基づいて、前記第１コンテンツ部分の使用範囲を決定する段階と、前記コンテンツインポート装置の使用範囲決定部が前記第２使用制限情報に基づいて、前記第２コンテンツ部分の使用範囲を決定する段階と、前記コンテンツインポート装置の暗号化部が前記第１使用制限情報に基づいて、前記第１コンテンツ部分を選択的に暗号化する段階と、前記コンテンツインポート装置の暗号化部が前記第２使用制限情報に基づいて、前記第２コンテンツ部分を選択的に暗号化する段階と、前記コンテンツインポート装置のコンテンツファイル生成部が前記第１コンテンツ部分の使用規則及び前記第２コンテンツ部分の使用規則に従う前記第２コンテンツファイルを生成する段階と、を含み、前記第１コンテンツ部分の使用規則を決定する段階は、前記第１使用制限情報を基づいて、前記第１使用制限情報に含まれていない、前記第１コンテンツ部分の再生、前記第１コンテンツ部分の移動、及び前記第１コンテンツ部分のストリーミングを含む、前記第１使用制限情報に対応する前記第１コンテンツ部分の使用規則を、前記第１コンテンツ部分の使用範囲別に決定し、前記第２コンテンツ部分の使用規則を決定する段階は、前記第２使用制限情報に基づいて、前記第２使用制限情報に含まれていない、前記第２コンテンツ部分の再生、前記第２コンテンツ部分の移動、及び前記第２コンテンツ部分のストリーミングを含む、前記第２使用制限情報に対応する前記第２コンテンツ部分の使用規則を、前記第２コンテンツ部分の使用範囲別に決定し、前記第２コンテンツファイルを生成する段階は、前記第１コンテンツ部分の使用規則、前記第２コンテンツ部分の使用規則、前記暗号化された第１コンテンツ部分及び前記暗号化された第２コンテンツ部分を含む前記第２コンテンツファイルを生成する。
【００１１】
前記技術的課題を解決するために、本発明は、前記のインポート方法をコンピュータで実行させるためのプログラムを記録したコンピュータで読み取り可能な記録媒体を提供する。
【発明の効果】
【００１２】
本発明によれば、ＤＲＭシステムの規則に従わないコンテンツをＤＲＭシステムの規則に従うコンテンツにインポートすることにより、ユーザーからのコンテンツの自由な使用要求に対応してコンテンツを保護することができ、コンテンツに対する正当な権限を有するユーザーだけが該コンテンツを使用できるようにし、不特定多数に該コンテンツが不法に再配布されるか、使われる危険を防止することができる。
【００１３】
特に、本発明によれば、外部から受信されたコンテンツファイルに含まれた情報、例えば、コピー制御情報、ブロードキャストフラグなどに基づいて、このコンテンツファイルに含まれたコンテンツ部分それぞれの使用規則を決定し、該使用規則に従うコンテンツファイルを生成することにより、外部から受信されたコンテンツファイルに含まれた全体コンテンツのうち、ユーザーが正当な権限を有するコンテンツ部分だけを使用できるようにし、コンテンツ部分単位で不特定多数に不法に再配布されるか、使われる危険を効果的に防止することができる。また、本発明によれば、コンテンツ部分単位でコンテンツユーザーの自由な使用要求をさらに多様に反映することができる。
【発明を実施するための最良の形態】
【００１４】
以下、図面を参照して本発明の望ましい実施形態を詳細に説明する。
【００１５】
図２を参照すれば、本実施形態によるデジタルコンテンツ保護環境は、ＤＲＭシステム１００、ＨＤＣＰ（Ｈｉｇｈ  Ｂａｎｄｗｉｄｔｈ  Ｄｉｇｉｔａｌ  Ｃｏｎｔｅｎｔ  Ｐｒｏｔｅｃｔｉｏｎ）システム２００、及びＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）システム３００のような多様なコンテンツ保護システムと、これらによる保護を受ける複数のデバイス２１〜２３とから構成される。
【００１６】
ＤＲＭシステム１００は、外部から受信されたコンテンツの権利を管理するためのシステムである。ＨＤＣＰシステム２００は、ＤＶＩ（Ｄｉｇｉｔａｌ  Ｖｉｄｅｏ  Ｉｎｔｅｒｆａｃｅ）のような高帯域幅インターフェースを介してデジタルディスプレイに出力されるコンテンツのコピーを防止するためのシステムである。ＤＴＣＰシステム３００は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格に従うＵＳＢ（Ｕｎｉｖｅｒｓａｌ  Ｓｅｒｉａｌ  Ｂｕｓ）を介して伝送されるコンテンツのコピーを防止するためのシステムである。前記のようなコンテンツ保護システム以外にもＣＡＳ（Ｃｏｎｄｉｔｉｏｎａｌ  Ａｃｃｅｓｓ  Ｓｙｓｔｅｍ）システム、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）システムのような他のコンテンツ保護システムがさらに含まれうるということを、当業者であれば理解することができる。
【００１７】
特に、本実施形態によれば、ＤＲＭシステム１００は、従来のコピー制御、ブロードキャストフラグなどによって保護されるコンテンツをコンテンツ製作者及びコンテンツ供給者の保安要求を順守しつつも、同時にコンテンツユーザーの自由な使用要求をさらに十分に満足させるように設計されたＤＲＭシステム１００の規則に従うコンテンツをインポートするコンテンツインポート装置１０を備える。
【００１８】
本実施形態におけるコンテンツインポートとは、ＤＲＭシステム１００の規則によってコンテンツを構成するコンテンツ部分それぞれのライセンスを発給し、該コンテンツ部分を暗号化する過程をいう。すなわち、本実施形態におけるコンテンツインポートとは、ＤＲＭシステム１００の規則に従わないコンテンツファイルをＤＲＭシステム１００の規則に従うコンテンツファイルに変換する過程をいう。特に、コンテンツのうちどの部分が一つのコンテンツ部分であるかは、使用制限情報またはライセンスによって区別される。すなわち、コンテンツ部分のそれぞれは、異なる使用制限情報またはライセンスを有する。
【００１９】
本実施形態におけるコンテンツファイルとは、コンテンツ部分及びこれらそれぞれに対するコピー制御情報またはライセンスなどを含むファイルをいう。特に、コンテンツファイルという用語は、簡単にコンテンツという用語と呼ばれ得るということは、当業者であれば理解することができる。
【００２０】
図３は、本発明の望ましい一実施形態によるコンテンツインポート装置の構成図である。
【００２１】
図３を参照すれば、図２に示すコンテンツインポート装置１０は、受信部１０１、検出部１０２、使用範囲決定部１０３、使用規則決定部１０４、コンテンツＩＤ／キー生成部１０５、暗号化部１０６、第１暗号化部１０６１、第２暗号化部１０６２、ライセンス発給時点測定部１０７、電子署名部１０８、ライセンス発給部１０９、コンテンツファイル生成部１１０、保存部１１１、ストレージ１１２、及び送受信部１１３から構成される。
【００２２】
受信部１０１は、多様なブロードキャスト伝送チャンネルを介して伝送ストリームを受信する。例えば、受信部１０１は、人工衛星、地上基地局などの無線媒体を介して伝送ストリームを受信するか、インターネットなどの有線媒体を介して伝送ストリームを受信するか、ＤＶＤなどの記録媒体を介して伝送ストリームを受信することも可能である。
【００２３】
検出部１０２は、受信部１０１に受信された伝送ストリームからいずれか一つのコンテンツファイルを検出し、該コンテンツファイルから複数のコンテンツ部分及び該コンテンツ部分それぞれに対する使用制限情報（ＵＣＩ：Ｕｓａｇｅ  Ｃｏｎｓｔｒａｉｎｔ  Ｉｎｆｏｒｍａｔｉｏｎ）を検出する。検出部１０２によって検出されたコンテンツファイルは、ＤＲＭシステム１００の規則に従わず、従来のコピー制御情報またはブロードキャストフラグを含む。図２に示すように、このコンテンツファイルに含まれたコンテンツ部分は、ＤＲＭシステム１００によって保護されることもあり、従来のＨＤＣＰシステム２００またはＤＴＣＰシステム３００によって保護されることもある。但し、このコンテンツファイルに含まれたコンテンツ部分がＤＲＭシステム１００によって保護されるためには、検出部１０２によって検出されたコンテンツファイルをＤＲＭシステム１００の規則に従うコンテンツファイルにインポートする必要がある。
【００２４】
使用制限情報の例としては、従来のコピー制御情報、ブロードキャストフラグなどを挙げることができる。前記のように、コピー制御情報は、コンテンツ部分のコピー回数を制限する情報であって、その種類には、コピーフリー、コピーワンス、ノーモアコピー、及びコピーネバーがある。また、ブロードキャストフラグは、コンテンツ部分の無制限再配布の禁止いかんを示す情報であって、その種類には、ブロードキャストフラグオン及びブロードキャストフラグオフがある。
【００２５】
しかし、ノーモアコピーは、コピーワンスであるコンテンツ部分が一回コピーされることによって発生したコピー制御情報であるため、ＤＲＭシステム１００は、ノーモアコピーであるコンテンツ部分を受信できず、これにより、ノーモアコピーであるコンテンツ部分をインポートする場合はない。これは、ＤＲＭシステム１００は、図２に示すように、多様なブロードキャスト伝送チャンネルを介して伝送ストリームを最初に受信するコンテンツ保護システムであって、ノーモアコピーであるコンテンツ部分を受信する場合は発生しえないためである。また、コピーネバーは、コンテンツ部分のコピー禁止を示すため、ＤＲＭシステム１００は、コピーネバーであるコンテンツ部分をコピーできず、これにより、コピーネバーであるコンテンツ部分をインポートすることができない。これは、ＤＲＭシステム１００がいずれか一つのコンテンツ部分をインポートするためには、ＤＲＭシステム１００の規則に従わないコンテンツファイルに含まれたコンテンツ部分をコピーし、これをＤＲＭシステム１００の規則に従うコンテンツファイルに含めなければならないためである。
【００２６】
また、ブロードキャストフラグオフのコンテンツ部分は、コンテンツ部分の無制限再配布が許容されるので、ＤＲＭシステム１００によるコンテンツ保護が不要である。したがって、ＤＲＭシステム１００は、ブロードキャストフラグオフであるコンテンツ部分をインポートする必要がない。すなわち、本実施形態によれば、コンテンツインポート装置１００が、ノーモアコピー、コピーネバーまたはブロードキャストオフであるコンテンツ部分をインポートする場合はない。したがって、以下では、コンテンツ部分の使用制限情報がノーモアコピー、コピーネバー、ブロードキャストオフである場合を除いて説明する。
【００２７】
使用範囲決定部１０３は、ＤＲＭシステム１００の規則によって検出部１０２によって検出された使用制限情報に基づいて、検出部１０２によって検出されたコンテンツ部分それぞれの使用範囲を決定する。さらに詳細に説明すれば、使用範囲決定部１０３は、検出部１０２によって検出されたコンテンツ部分それぞれの使用範囲をいずれか一つのデバイスに限定するデバイス範囲と決定するか、またはいずれか一つのドメインに含まれたあらゆるデバイスに限定するドメイン範囲と決定する。
【００２８】
検出部１０２によって検出された使用制限情報がコピー制御情報である場合を例にとって説明する。すなわち、使用範囲決定部１０３は、検出部１０２によって検出されたコンテンツ部分のうち、コピー制御情報がコピーフリーであるコンテンツ部分に対しては、ＤＲＭシステム１００の規則によって、このコンテンツ部分の使用範囲をいずれか一つのデバイスに限定するデバイス範囲と決定するか、またはいずれか一つのドメインに含まれたあらゆるデバイスに限定するドメイン範囲と決定する。また、使用範囲決定部１０３は、検出部１０２によって検出されたコンテンツ部分のうちコピー制御情報がコピーワンスであるコンテンツ部分に対しては、ＤＲＭシステム１００の規則によって、このコンテンツ部分の使用範囲をデバイス範囲と決定する。
【００２９】
コピーフリーは、コンテンツ部分の無制限コピーが許容されることを示すので、デバイス範囲またはドメイン範囲のいずれも可能である。しかし、コピーワンスは、コンテンツ部分の一回コピーだけ許容されることを示すので、デバイス範囲だけ可能である。これは、コンテンツ部分の使用範囲がドメイン範囲と決定される場合、いずれか一つのドメインに含まれたデバイスは、これらの間のコンテンツ部分の自由なコピーが許容されなければならないためである。
【００３０】
次に、検出部１０２によって検出された使用制限情報がブロードキャストフラグである場合を例にとって説明する。すなわち、使用範囲決定部１０３は、検出部１０２によって検出されたコンテンツ部分のうち、ブロードキャストフラグが、ブロードキャストフラグオンであるコンテンツ部分に対しては、ＤＲＭシステム１００の規則によってこのコンテンツ部分の使用範囲をデバイス範囲と決定するか、またはドメイン範囲と決定する。ブロードキャストフラグがブロードキャストフラグオンである場合には、コンテンツ部分の無制限再配布が許容されないことを示すので、デバイス範囲またはドメイン範囲のいずれも可能である。これは、デバイス範囲内でのコンテンツ部分使用は、当然のこととしてコンテンツ部分の無制限再配布禁止に符合し、ドメイン範囲もユーザーによって認識可能な特定地域であるため、ドメイン範囲内でのコンテンツ部分使用もコンテンツ部分の無制限再配布禁止に符合するからである。
【００３１】
一般的に、どのデバイスがどのドメインを構成するかに関しては、ユーザーによって予め設定されるので、ドメイン範囲は、ユーザー範囲と表現されることもある。また、前記のように、ＤＲＭシステム１００の規則は、コンテンツ製作者及びコンテンツ供給者の保安要求を順守しつつも、同時にコンテンツユーザーの自由な使用要求をさらに十分に満足させうる方向に決定されるので、使用範囲決定部１０３は、このような方向でコンテンツ部分それぞれの使用範囲をデバイス範囲と決定するか、またはドメイン範囲と決定する。但し、デバイス範囲は、ドメイン範囲と決定されることが使用制限情報に違反する場合にのみ決定されるようにする。これは、ユーザーのコンテンツ使用権利を制限しうるためである。
【００３２】
使用規則決定部１０４は、ＤＲＭシステム１００の規則によって、検出部１０２によって検出された使用制限情報に基づいて、検出部１０２によって検出されたコンテンツ部分それぞれの使用規則を決定する。さらに詳細に説明すれば、使用規則決定部１０４は、使用範囲決定部１０３によって決定された使用範囲ごとにコンテンツ部分それぞれの使用規則を決定する。すなわち、使用規則決定部１０４は、使用範囲決定部１０３によってデバイス範囲と決定されたコンテンツ部分に対しては、いずれか一つのデバイスでの使用規則を決定する。また、使用規則決定部１０４は、使用範囲決定部１０３によって決定されたドメイン範囲と決定されたコンテンツ部分に対しては、いずれか一つのドメインでの使用規則を決定する。
【００３３】
ＤＲＭシステム１００の規則は、コンテンツ製作者及びコンテンツ供給者の保安要求を順守しつつも、同時にコンテンツユーザーの自由な使用要求をさらに十分に満足させうる方向に決定されるので、使用規則決定部１０４は、このような方向でコンテンツ部分それぞれの使用規則を決定する。
【００３４】
図４は、本発明の望ましい一実施形態によるＵＣＩ／ＵＲマッピングテーブルを示す図である。
【００３５】
図４を参照すれば、本実施形態によるＵＣＩ／ＵＲマッピングテーブルは、使用制限情報フィールド４１、インポートフィールド４２、使用範囲フィールド４３、及び使用規則フィールド４４から構成される。特に、図４に示すＵＣＩ／ＵＲマッピングテーブルは、コンテンツを構成するコンテンツ部分のうちいずれか一つに関するものである。
【００３６】
使用制限情報フィールド４１には、コンテンツ部分の使用制限情報が記録される。インポートフィールド４２には、使用制限情報フィールド４１に記録された使用制限情報を有するコンテンツ部分がインポート可能であるか否かを示す値が記録される。使用範囲フィールド４３には、使用制限情報フィールド４１に記録された使用制限情報を基盤とする使用範囲が記録される。使用規則フィールド４４には、使用範囲フィールド４３に記録された使用範囲別に使用制限情報フィールド４１に記録された使用制限情報を基盤とする使用規則が記録される。
【００３７】
特に、使用規則フィールド４４に記録された値のうち“オール（ａｌｌ）”は、コンテンツ部分に対するあらゆる種類の使用が可能であることを示す。また、使用規則フィールド４４に記録された値のうち“Ｍ”は、コンテンツ部分の移動（Ｍｏｖｅ）を示す。コンテンツ部分の移動とは、いずれか一つのデバイスに保存されたコンテンツ部分がこのデバイスから削除されると同時に、他のデバイスに保存されることを意味する。また、使用規則フィールド４４に記録された値のうち“Ｓ”は、コンテンツ部分のストリーミング（Ｓｔｒｅａｍｉｎｇ）を示す。コンテンツ部分のストリーミングとは、いずれか一つのデバイスに保存されたコンテンツ部分が、他のデバイスに一時的に出力されるが、元のデバイスでコンテンツ部分を継続的に保存していることを意味する。また、使用規則フィールド４４に記録された値のうち“Ｐ”は、コンテンツ部分の再生（Ｐｌａｙ）を示す。コンテンツ部分の再生とは、いずれか一つのデバイスがコンテンツ部分を再生することを意味する。
【００３８】
コピーフリーは、コンテンツ部分の無制限コピーが許容されることを示すので、使用制限情報がコピーフリーである場合には、使用範囲フィールド４３にデバイス、ドメインが記録され、使用規則フィールド４４に“オール”が記録される。一方、コピーワンスは、コンテンツ部分の一回コピーだけ許容されることを示すので、使用制限情報がコピーワンスである場合には、使用範囲フィールド４３にデバイスが記録され、使用規則フィールド４４に“Ｍ、Ｓ、Ｐ”が記録される。
【００３９】
コンテンツ部分の使用例としては、前記の移動、ストリーミング、再生以外にもコピーなどがある。コンテンツ部分のコピーとは、本実施形態によってインポートされたコンテンツ部分をコピーすることを意味する。しかし、コンテンツインポート装置１０がコンテンツ部分をインポートするためには、コンテンツ部分のコピーが前提されなければならず、その結果、本実施形態によってインポートされたコンテンツ部分をコピーすれば、２回のコピーがなされるようになる。したがって、コンテンツインポート装置１０は、コピーワンスであるコンテンツ部分をインポートすることは可能であるが、本実施形態によってインポートされたコンテンツ部分のコピーを許容することはない。これが、使用制限情報がコピーワンスである場合に、使用規則フィールド４４に“Ｍ、Ｓ、Ｐ”だけ記録される理由である。
【００４０】
ブロードキャストフラグオンは、コンテンツ部分の無制限再配布が許容されないことを示すので、ブロードキャストフラグがブロードキャストフラグオンである場合には、使用範囲フィールド４３にデバイス、ドメインが記録され、使用規則フィールド４４に“オール”が記録される。デバイス範囲内でのコンテンツ部分のコピーを含むいかなる形態の使用もコンテンツ部分の無制限再配布禁止に符合し、ドメイン範囲もユーザーによって認識可能な特定地域であるので、ドメイン範囲内でのコンテンツ部分のコピーを含むいかなる形態の使用もコンテンツ部分の無制限再配布禁止に符合する。
【００４１】
コンテンツＩＤ／キー生成部１０５は、ＤＲＭシステム１００の規則によって、検出部１０２によって検出されたコンテンツ部分それぞれのＩＤを生成し、このコンテンツＩＤそれぞれに対応するコンテンツキーを生成する。コンテンツＩＤ／キー生成部１０５によって生成されたコンテンツキーは、検出部１０２によって検出されたコンテンツ部分を暗号化するのに使われる。
【００４２】
暗号化部１０６は、検出部１０２によって検出された使用制限情報それぞれに基づいて、検出部１０２によって検出されたコンテンツ部分を選択的に暗号化する。すなわち、コピー制御情報がノーモアコピー、コピーネバーである場合や、ブロードキャストフラグがブロードキャストフラグオフである場合に、コンテンツインポート装置１０は、コンテンツをインポートしないので、暗号化部１０６は、検出部１０２によって検出されたコンテンツ部分を暗号化しない。暗号化部１０６は、コンテンツキーを暗号化する第１暗号化部１０６１及びコンテンツ部分を暗号化する第２暗号化部１０６２から構成される。
【００４３】
第１暗号化部１０６１は、使用範囲決定部１０３によって決定された使用範囲のそれぞれに対応する暗号化キーでコンテンツＩＤ／キー生成部１０５によって生成されたコンテンツキーを暗号化する。すなわち、第１暗号化部１０６１は、使用範囲決定部１０３によってデバイス範囲と決定されたコンテンツ部分に対しては、いずれか一つのデバイスに対応する暗号化キー（以下、“デバイスキー”という）で該コンテンツ部分の暗号化に使われるコンテンツキーを暗号化する。また、第１暗号化部１０６１は、使用範囲決定部１０３によってドメイン範囲と決定されたコンテンツ部分に対しては、いずれか一つのドメインに対応する暗号化キー（以下、“ドメインキー”という）で該コンテンツ部分の暗号化に使われるコンテンツキーを暗号化する。
【００４４】
これにより、コンテンツインポート装置１０によってインポートされたコンテンツを受信したデバイスのうち、コンテンツキー暗号化に使われたデバイスキーまたはドメインキーを保有したデバイスだけ第１暗号化部１０６１によって暗号化されたコンテンツキーを復号することができる。このような暗号化過程を通じて全体コンテンツのうち、ユーザーが正当な権限を有するコンテンツ部分だけ使用できるようにし、コンテンツ部分単位で不特定複数に不法に再配布されるか、使われる危険を効果的に防止することができる。
【００４５】
例えば、ユーザーによって選択されたデバイスまたはドメインだけコンテンツキーを獲得できるようにするためには、第１暗号化部１０６１は、ユーザーにより選択されたデバイスに対応するデバイスキー、またはユーザーによって選択されたドメインに対応するドメインキーでコンテンツキーを暗号化すればよい。但し、第１暗号化部１０６１は、どのデバイスとどの暗号化キーとが互いに対応しているかを知っていなければならないが、これに関する情報は、ドメイン管理者（図示せず）などのサーバーから得ることができる。
【００４６】
第２暗号化部１０６２は、コンテンツＩＤ／キー生成部１０５によって生成されたそれぞれのコンテンツキーで検出部１０２によって検出されたコンテンツ部分を選択的に暗号化する。
【００４７】
ライセンス発給時点測定部１０７は、第１暗号化部１０６１による暗号化が完了して、コンテンツ部分それぞれのライセンスを発給する準備が完了すれば、ライセンスのそれぞれが発給される時点を測定する。このように測定されたライセンス発給時点をライセンスに挿入することで、コンテンツインポート装置１０によってインポートされたコンテンツを受信したデバイスのうち、該ライセンス発給時点で正当な権限を保有したデバイスだけコンテンツ部分を使用できるようにする。ところが、ライセンスの発給時点が操作されるならば、コンテンツ製作者及びコンテンツ供給者の保安要求を順守することができず、その結果、ＤＲＭシステム１００のコンテンツ保護機能が適正に発揮されえない。したがって、ライセンス発給時点は、必ずしも任意に操作できない保安時間を使用しなければならない。
【００４８】
電子署名部１０８は、ＤＲＭシステム１００の規則によって、使用規則決定部１０４によって決定された使用規則それぞれ、及びライセンス発給時点測定部１０７によって測定されたライセンス発給時点それぞれに電子署名を行う。一般的に、電子署名は文書またはメッセージが変調されなかったことを保証するために使われる。使用規則決定部１０４によって決定された使用規則、またはライセンス発給時点測定部１０７によって測定されたライセンス発給時点が変調されれば、コンテンツ製作者及びコンテンツ供給者の保安要求を順守することができず、その結果、ＤＲＭシステム１００のコンテンツ保護機能が適正に発揮できない。
【００４９】
ライセンス発給部１０９は、ＤＲＭシステム１００の規則によって、電子署名部１０８によって電子署名された使用規則及びライセンス発給時点と、コンテンツＩＤ／キー生成部１０５によって生成されたコンテンツＩＤと、第１暗号化部１０６１によって暗号化されたコンテンツキーと、ライセンス発給時点測定部１０７によって測定されたライセンス発給時点とを含むコンテンツ部分それぞれのライセンスを生成して発給する。特に、一つのライセンスは、一つの使用制限情報に基づいて生成されるため、一つのライセンスは、一つの電子署名された使用規則およびライセンス発給時点、一つのコンテンツＩＤ、一つのコンテンツキー、及び一つのライセンス発給時点から構成される。
【００５０】
さらに詳細に説明すれば、ライセンス発給部１０９は、使用範囲決定部１０３によって決定された使用範囲ごとに、使用規則決定部１０４によって決定された使用規則それぞれを含むライセンスを生成して発給する。ライセンス発給部１０９は、使用範囲決定部１０３によってデバイス範囲と決定されたコンテンツ部分に対しては、いずれか一つのデバイスに対するライセンスを生成して発給する。また、ライセンス発給部１０９は、使用範囲決定部１０３によってドメイン範囲と決定されたコンテンツ部分に対しては、いずれか一つのドメインに対するライセンスを生成して発給する。
【００５１】
コンテンツファイル生成部１１０は、ＤＲＭシステム１００の規則によって使用規則決定部１０４によって決定された使用規則に従うコンテンツファイルを生成する。これは、コンテンツインポート装置１０によってインポートされたコンテンツを受信したデバイスが、使用規則決定部１０４によって決定された使用規則によって、コンテンツ部分を使用できるようにするためである。前記のように、使用規則決定部１０４によって決定された使用規則のそれぞれは、ライセンス発給部１０９によって発給されたライセンスに挿入される。すなわち、コンテンツファイル生成部１１０は、ライセンス発給部１０９によって発給されたライセンス、及び第２暗号化部１０６２によって暗号化されたコンテンツ部分を含むコンテンツファイルを生成する。但し、ライセンス発給部１０９によって発給されたライセンス、及び第２暗号化部１０６２によって暗号化されたコンテンツ部分は、一つにパッケージングされてもよく、互いに分離されてパッケージングされてもよい。
【００５２】
図５は、本発明の望ましい一実施形態によるコンテンツファイルのフォーマットを示す図である。
【００５３】
図５を参照すれば、本実施形態によるコンテンツファイルは、暗号化されたコンテンツ部分と、これらそれぞれのライセンスとから構成される。図５に示すコンテンツファイルは、該コンテンツファイルに含まれているライセンスの数を迅速に把握できるように、あらゆるライセンスをコンテンツファイルの前部に配置し、ライセンスの後に暗号化されたコンテンツファイルを配置した。但し、これと違って、暗号化されたコンテンツ部分とこれらそれぞれのライセンスとを連続的に配置してもよい。
【００５４】
ライセンスのそれぞれは、コンテンツＩＤ５１、暗号化されたコンテンツキー５２、電子署名された使用規則及びライセンス発給時点５３から構成される。
【００５５】
コンテンツインポート装置１０によってインポートされたコンテンツ部分を受信したデバイスは、図５に示すライセンスのコンテンツＩＤ５１を参照して、コンテンツインポート装置１０によってインポートされたコンテンツ部分を識別することができる。また、コンテンツインポート装置１０によってインポートされたコンテンツ部分を受信したデバイスは、前記のように識別されたコンテンツ部分を獲得するために、図５に示すライセンスの暗号化されたコンテンツキー５２に対する復号化を試みる。前記のように、コンテンツインポート装置１０によってインポートされたコンテンツ部分を受信したデバイスのうち、コンテンツキー暗号化に使われたデバイスキーまたはドメインキーを保有したデバイスだけが、暗号化されたコンテンツキー５２を復号することができる。また、コンテンツインポート装置１０によってインポートされたコンテンツ部分を受信したデバイスは、前記の復号化によって復元されたコンテンツキーでコンテンツインポート装置１０によってインポートされたコンテンツ部分を復号化する。これは、コンテンツインポート装置１０によってインポートされたコンテンツ部分は、暗号化された形態のコンテンツ部分であるためである。
【００５６】
また、コンテンツインポート装置１０によってインポートされたコンテンツを受信したデバイスは、図５に示すライセンスの電子署名された使用規則及びライセンス発給時点５３が変調されたか否かを確認し、この使用規則及びライセンスの発給時点に基づいて、ユーザーが正当な権限を保有しているか否かを確認する。その結果、電子署名された使用規則及びライセンス発給時点５３が変調されておらず、ユーザーが正当な権限を保有していると確認されれば、コンテンツインポート装置１０によってインポートされたコンテンツを受信したデバイスは、図５に示すライセンスに含まれた使用規則によってコンテンツ部分を使用する。これにより、コンテンツ製作者及びコンテンツ供給者の保安要求を順守しつつも、同時にコンテンツユーザーの自由な使用要求をさらに十分に満足させることが可能になる。
【００５７】
保存部１１１は、コンテンツファイル生成部１１０によって生成されたコンテンツファイルをストレージ１１２に保存する。
【００５８】
送受信部１１３は、図２に示すデバイス２１〜２３のうちいずれか一つからコンテンツの伝送要請を受信すれば、このデバイスにストレージ１１２に保存されたコンテンツファイルを伝送する。送受信部１１１は、このデバイスが支援する任意の方式でコンテンツファイルを伝送できる。例えば、ＳＤ（Ｓｅｃｕｒｅ  Ｄｉｇｉｔａｌ）カードのような記録媒体を介してコンテンツを伝送してもよく、ＲＴＰ（Ｒｅａｌ−Ｔｉｍｅ  Ｔｒａｎｓｐｏｒｔ  Ｐｒｏｔｏｃｏｌ）のような伝送プロトコルによってコンテンツを伝送してもよい。
【００５９】
図６Ａ及び図６Ｂは、本発明の望ましい一実施形態によるコンテンツインポート方法のフローチャートである。
【００６０】
図６Ａ及び図６Ｂを参照すれば、本実施形態によるコンテンツインポート方法は、図３に示すコンテンツインポート装置１０で経時的に処理される段階から構成される。したがって、以下に省略された内容であっても、図３に示すコンテンツインポート装置１０に関して前述した内容は、本実施形態によるコンテンツインポート方法にも適用される。
【００６１】
６０１段階において、コンテンツインポート装置１０は、多様なブロードキャスト伝送チャンネルを介して伝送ストリームを受信する。
【００６２】
６０２段階において、コンテンツインポート装置１０は、６０１段階で受信された伝送ストリームからいずれか一つのコンテンツファイルを検出する。
【００６３】
６０３段階において、コンテンツインポート装置１０は、６０２段階で受信されたコンテンツファイルからいずれか一つのコンテンツ部分及びこのコンテンツ部分に関する使用制限情報を検出する。
【００６４】
６０４段階において、コンテンツインポート装置１０は、ＤＲＭシステム１００の規則によって、６０３段階で検出された使用制限情報に基づいて、６０３段階で検出されたコンテンツ部分の使用範囲を決定する。
【００６５】
６０５段階において、コンテンツインポート装置１０は、６０４段階で決定された使用範囲がデバイス範囲であれば、６０６段階に進み、ドメイン範囲であれば、６０７段階に進む。
【００６６】
６０６段階において、コンテンツインポート装置１０は、６０３段階で検出された使用制限情報に基づいて、６０４段階でデバイス範囲と決定されたコンテンツ部分についていずれか一つのデバイスでの使用規則を決定する。
【００６７】
６０７段階において、コンテンツインポート装置１０は、６０３段階で検出された使用制限情報に基づいて、６０４段階でドメイン範囲と決定されたコンテンツ部分についていずれか一つのドメインでの使用規則を決定する。
【００６８】
６０８段階において、コンテンツインポート装置１０は、ＤＲＭシステム１００の規則によって６０３段階で検出されたコンテンツ部分のＩＤを生成し、該コンテンツＩＤに対応するコンテンツキーを生成する。
【００６９】
６０９段階において、コンテンツインポート装置１０は、６０３段階で決定された使用範囲がデバイス範囲であれば、６１０段階に進み、ドメイン範囲であれば、６１１段階に進む。
【００７０】
６１０段階において、コンテンツインポート装置１０は、ＤＲＭシステム１００の規則によっていずれか一つのデバイスに対応するデバイスキーでコンテンツキーを暗号化する。
【００７１】
６１１段階において、コンテンツインポート装置１０は、ＤＲＭシステム１００の規則によっていずれか一つのドメインに対応するドメインキーでコンテンツキーを暗号化する。
【００７２】
６１２段階において、コンテンツインポート装置１０は、６０３段階で検出された使用制限情報に基づいて、６０８段階で生成されたコンテンツキーで６０３段階で検出されたコンテンツ部分を暗号化する。
【００７３】
６１３段階において、コンテンツインポート装置１０は、６１０段階または６１１段階での暗号化が完了し、ライセンスを発給する準備が完了すれば、ライセンスが発給される時点を測定する。
【００７４】
６１４段階において、コンテンツインポート装置１０は、ＤＲＭシステム１００の規則によって、６０６段階または６０７段階で決定されたそれぞれの使用規則及び６１３段階で測定されたライセンス発給時点に電子署名を行う。
【００７５】
６１５段階において、コンテンツインポート装置１０は、ＤＲＭシステム１００の規則によって、６０８段階で生成されたコンテンツＩＤと、６１０段階または６１１段階で暗号化されたコンテンツキーと、６１４段階で電子署名された使用規則及びライセンス発給時点とを含むライセンスを生成して発給する。
【００７６】
６１６段階において、コンテンツインポート装置１０は、６０２段階で受信されたコンテンツファイルに含まれたコンテンツ部分がいずれもインポートされたか否かを確認する。すなわち、６１６段階において、コンテンツインポート装置１０は、６０２段階で受信されたコンテンツファイルに含まれたあらゆるコンテンツ部分に対して前記６０３段階〜６１５段階が行われたか否かを確認する。６０２段階で受信されたコンテンツファイルに含まれたコンテンツ部分がいずれもインポートされた場合には、６１７段階に進み、コンテンツ部分のすべてがインポートされてはいない場合には、残りのコンテンツ部分をインポートするために６０３段階に戻る。後者の場合によって６０３段階に戻ったコンテンツインポート装置１０は、６０２段階で受信されたコンテンツファイルから前記のコンテンツ部分とは異なるコンテンツ部分及び該コンテンツ部分に対する使用制限情報を検出し、残りの６０４段階〜６１６段階も同様に繰り返される。
【００７７】
６１７段階において、コンテンツインポート装置１０は、ＤＲＭシステム１００の規則によって、６０６段階または６０７段階で決定された使用規則に従うコンテンツファイルを生成する。すなわち、６１７段階において、コンテンツインポート装置１０は、６１５段階で発給されたライセンス及び６１２段階で暗号化されたコンテンツ部分を含むコンテンツファイルを生成する。
【００７８】
６１８段階において、コンテンツインポート装置１０は、６１６段階で生成されたコンテンツファイルを保存する。
【００７９】
６１９段階において、コンテンツインポート装置１０は、図２に示すデバイス２１〜２３のうちいずれか一つからのコンテンツの伝送要請を受信すれば、６２０段階に進む。
【００８０】
６２０段階において、コンテンツインポート装置１０は、６１９段階で保存されたコンテンツファイルを伝送する。
【００８１】
一方、前述した本発明の実施形態は、コンピュータで実行できるプログラムで作成可能であり、コンピュータで読み取り可能な記録媒体を利用して前記プログラムを動作させる汎用ディジタルコンピューターで具現できる。また、前述した本発明の実施形態で使われたデータの構造は、コンピュータで読み取り可能な記録媒体にいろいろな手段を通じて記録されうる。
【００８２】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを介した伝送）のような記録媒体を含む。
【００８３】
以上、本発明についてその望ましい実施形態を中心に説明した。当業者は、本発明が本発明の本質的な特性から逸脱しない範囲で変形された形態で具現されうるということを理解できるであろう。したがって、開示された実施形態は、限定的な観点ではなく、説明的な観点で考慮されなければならない。本発明の範囲は、前述した説明ではなく、特許請求の範囲に示されており、それと同等な範囲内にある全ての差異点は、本発明に含まれたと解釈されなければならない。
【産業上の利用可能性】
【００８４】
本発明は、ＤＲＭシステムを構成する装置に適用されうる。
【図面の簡単な説明】
【００８５】
【図１】従来のデジタルコンテンツ保護環境を示す図である。
【図２】本発明の望ましい一実施形態によるデジタルコンテンツ保護環境を示す図である。
【図３】本発明の望ましい一実施形態によるコンテンツインポート装置の構成図である。
【図４】本発明の望ましい一実施形態によるＵＣＩ／ＵＲマッピングテーブルを示す図である。
【図５】本発明の望ましい一実施形態によるライセンスのフォーマットを示す図である。
【図６Ａ】本発明の望ましい一実施形態によるコンテンツインポート方法のフローチャートである。
【図６Ｂ】本発明の望ましい一実施形態によるコンテンツインポート方法のフローチャートである。
【符号の説明】
【００８６】
１０        コンテンツインポート装置
２１〜２３  デバイス
４１        使用制限情報フィールド
４２        インポートフィールド
４３        使用範囲フィールド
４４        使用規則フィールド
５１        コンテンツＩＤ
５２        暗号化されたコンテンツキー
５３        電子署名された使用規則及びライセンス発給時点
１００      ＤＲＭシステム
１０１      受信部
１０２      検出部
１０３      使用範囲決定部
１０４      使用規則決定部
１０５      コンテンツＩＤ／キー生成部
１０６      暗号化部
１０７      ライセンス発給時点測定部
１０８      電子署名部
１０９      ライセンス発給部
１１０      コンテンツファイル生成部
１１１      保存部
１１２      ストレージ
１１３      送受信部
２００      ＨＤＣＰシステム
３００      ＤＴＣＰシステム
１０６１    第１暗号化部
１０６２    第２暗号化部
【図１】
0005111860.tif 000002
【図２】
0005111860.tif 000003
【図３】
0005111860.tif 000004
【図４】
0005111860.tif 000005
【図５】
0005111860.tif 000006
【図６Ａ】
0005111860.tif 000007
【図６Ｂ】
0005111860.tif 000008